(57)【要約】【課題】下枠上面フラットのバリアフリーサッシ構造において、下枠の排水性の向上に効果的な下枠排水構造の提供を目的とする。【解決手段】建築物の屋外開口部に備えられた引き違い障子の外障子下框の室内側よりから垂下片を設け、内障子下框室外側よりから垂下片を設け、下枠上面を略フラットに形成するとともに、上記外障子下框垂下片が嵌入する細い条状の外障子スライド溝及びその直下に外障子用下枠排水凹部を設け、上記内障子下框垂下片が嵌入する細い条状の内障子スライド溝及びその直下に内障子用下枠排水凹部を設け、外障子用下枠排水凹部及び内障子用下枠排水凹部のそれぞれに、障子が閉じた際の召合位置の下部に合わせて排水凹部止水部材を取り付けて下枠排水凹部の室外部と室内部を仕切り、下枠排水凹部の室外部からは排水孔を介して直接屋外に排水し、下枠排水凹部の室内部からは逆止弁を取り付けた排水孔を介して屋外に排水するようにした。【選択図】  図６
2004238962.tif 000002
【特許請求の範囲】
【請求項１】
建築物の屋外開口部に備えられた引き違い障子の外障子下框の室内側よりから垂下片を設け、内障子下框室外側よりから垂下片を設け、下枠上面を略フラットに形成するとともに、上記外障子下框垂下片が嵌入する細い条状の外障子スライド溝及びその直下に外障子用下枠排水凹部を設け、上記内障子下框垂下片が嵌入する細い条状の内障子スライド溝及びその直下に内障子用下枠排水凹部を設け、  外障子用下枠排水凹部及び内障子用下枠排水凹部のそれぞれに、障子が閉じた際の召合位置の下部に合わせて排水凹部止水部材を取り付けて下枠排水凹部の室外部と室内部を仕切り、下枠排水凹部の室外部からは排水孔を介して直接屋外に排水し、下枠排水凹部の室内部からは逆止弁を取り付けた排水孔を介して屋外に排水するようにしたことを特徴とする屋外用サッシの下枠排水溝造。
【請求項２】
下枠排水凹部の室内部に流れ込んだ雨水や結露水等を下枠に設けたホロー部に流し込んだ後に逆止弁が取り付けられた排水孔を介して屋外に排水するようにしたことを特徴とする請求項１記載の屋外用サッシの下枠排水溝造。
【請求項３】
引き違い障子の外障子下框及び内障子下框から垂下させた垂下片の室内側にタイトホルダー部を設けてタイト材を取り付けて下枠排水凹部側壁との間をシールし、この垂下片の室外側とスライド溝の間に所定の隙間を設けて雨水を流し込むようにしたことを特徴とする請求項１又は請求項２記載の屋外用サッシの下枠排水溝造。
【請求項４】
下枠をベース部材と下枠カバー部材にて構成し、下枠カバー部材にて外障子下框垂下片を嵌入する外障子スライド溝及び外障子用下枠排水凹部を形成するとともに、内障子スライド溝の室外部を形成し、下枠カバー部材の下枠への嵌着部側壁と下枠ベース部材の立上部との間にカバー部材用タイト材を取り付けたことを特徴とする請求項１記載の屋外用サッシの下枠排水溝造。
【発明の詳細な説明】
【０００１】
【発明の属する技術分野】
本発明は、引き違い障子の下框から垂下片を垂下させ、下枠上面を略フラットに形成し、その下枠上面に細い条状のスライド溝を形成するとともに、その下に排水凹部を設け、このスライド溝に上記垂下片を嵌入させたバリアフリーサッシにおける下枠排水構造に関する。
【０００２】
【従来の技術】
本出願人は、下枠上面を略フラットに形成し、この下枠上面に細い条状の障子スライド溝を形成し、この障子スライド溝に障子下框から垂下させた垂下片を嵌入したバリアフリーサッシ構造について先に提案している。（特開２００２−２１３１５６）
【０００３】
このような下枠上面を略フラットにしたバリアフリー構造とした場合に、障子戸の側面等につたわって落下してくる雨水は、下枠上面に流れ込み、さらに、このスライド溝からこの下に設けた下枠凹部に流れ込むようになっている。
外障子用と内障子用の両方の下枠凹部に流れ込んだ雨水は、その下に設けた下枠の中空部に一旦落としこんだ後に排水弁を介して屋外に排水していた。
【０００４】
しかし、このような下枠排水構造では、下枠凹部に流れ込んだ雨水の全てが排水弁を通過することになるので、排水弁が雨水の排水の障害にならないように、必然的に排水弁の取り付け数量が多くならざるを得なかった。
一方、逆止弁機能を有する排水弁を取り付けることなく屋外に向けて排水穴を形成すると、屋外からの風圧等により、雨水が下枠のスライド溝を通じて室内側に逆流し、浸入する恐れがあるばかりでなく、風や外気の室内への浸入路となる問題があった。
【０００５】
【特許文献１】
特開２００２−２１３１５６号公報
【０００６】
【発明が解決しようとする課題】
本発明は、下枠上面フラットのバリアフリーサッシ構造において、下枠の排水性の向上に効果的な下枠排水構造の提供を目的とする。
【０００７】
【課題を解決するための手段】
請求項１記載の発明は、建築物の屋外開口部に備えられた引き違い障子の外障子下框の室内側よりから垂下片を設け、内障子下框室外側よりから垂下片を設け、下枠上面を略フラットに形成するとともに、上記外障子下框垂下片が嵌入する細い条状の外障子スライド溝及びその直下に外障子用下枠排水凹部を設け、上記内障子下框垂下片が嵌入する細い条状の内障子スライド溝及びその直下に内障子用下枠排水凹部を設け、外障子用下枠排水凹部及び内障子用下枠排水凹部のそれぞれに、障子が閉じた際の召合位置の下部に合わせて排水凹部止水部材を取り付けて下枠排水凹部の室外部と室内部を仕切り、下枠排水凹部の室外部からは排水孔を介して直接屋外に排水し、下枠排水凹部の室内部からは逆止弁を取り付けた排水孔を介して屋外に排水するようにした。
【０００８】
外障子及び内障子がスライドするスライド溝下の下枠排水凹部には、障子が閉じた際に外気にそのまま開放された部分と、障子下框垂下片を境にして室内側と連通し、室内圧になっている部分が存在する。
【０００９】
そこで本発明は、まず、下枠排水凹部の室外部と室内部を仕切るために外障子と内障子の召合位置の下部に対応させて、この下枠排水凹部に止水部材を取り付けたものである。
このようにすることにより、下枠排水凹部の室外部は、もともと外気と同圧なので、そのまま排水孔を介して直接屋外に排水すれば良く、下枠排水凹部の室内部については何らかの原因で浸入した雨水や障子戸の室内側に発生した結露水等を逆止弁を介して屋外に排水することになる。
また、スライド溝の直下に形成した下枠排水凹部は、スライド溝幅よりも広くなっていて、雨水を流し込むふところとして作用する。
【００１０】
下枠排水凹部の下にホロー部（中空部）を形成し、下枠排水凹部の室内部に流れ込んだ雨水や結露水をこのホロー部に一旦、流し込んでから屋外に逆止弁を介して排水してもよい。
【００１１】
請求項３記載の発明は、引き違い障子の外障子下框及び内障子下框から垂下させた垂下片の室内側にタイトホルダー部を設けてタイト材を取り付けて下枠排水凹部側壁との間をシールし、この垂下片の室外側とスライド溝の間に所定の隙間を設けて雨水を流し込むようにした。
このように、障子下框の垂下片側にタイト材を取り付けられるようにすると、タイト材の取り替えが障子を取り外すことで簡単に出来る。
【００１２】
また、このタイト材を下枠側に取り付けると、スライド溝部に落下したゴミ等が上記タイト材の上に乗り、障子の開閉に影響を与える恐れが全く無い訳ではなく、そのような問題も解決出来る。
また、下框垂下片にタイト材を設ける場合に、このタイト材をフィンシール付きのモヘア材にすると、障子を下枠のスライド溝に建て込みやすく、それだけスライド溝幅を狭くすることができる。
【００１３】
タイト材を下框の垂下片側に取り付けると、障子縦框に縦方向の縦タイト材を取り付ける際に、縦タイト材と横タイト材（垂下片側のタイト材）との連続性が確保しやすくなる。
【００１４】
請求項４記載の発明は、下枠をベース部材と下枠カバー部材にて構成し、下枠カバー部材にて外障子下框垂下片を嵌入する外障子スライド溝及び外障子用下枠排水凹部を形成するとともに、内障子スライド溝の室外部を形成し、下枠カバー部材の下枠への嵌着部側壁と下枠ベース部材の立上部との間にカバー部材用タイト材を取り付けた。
【００１５】
下枠ベース部材と下枠カバー部材に分割して構成すると、下枠カバー部材を取り外して下枠排水凹部の清掃が出来るようになるが、下枠ベース部材と下枠カバー部材の取り付け側部の隙間から雨水が室内部に浸入する恐れが生じる。
そこで、請求項４記載の発明は、下枠カバー部材の下枠への嵌着部側壁と下枠ベース部材の立上部との間にカバー部材用タイト材を取り付けたものである。
【００１６】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子等にも適用される。
【００１７】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１８】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１９】
図３の拡大図に基づいて下枠構造を説明する。
下枠１０の下枠ベース部は、室外側下枠ベース部材１１と室内側下枠ベース部材１２を断熱部材１６にて連結して形成されている。
下枠ベース部材には、外障子５０の戸車５１ｃ及び内障子６０の戸車６１ｃが走行する小さな条状突起からなる擬似レール１９ａ、１９ｂが形成されている。この擬似レール部分とは、独立して分離出来るように下枠カバー部材１５が下枠ベース部に着脱自在に取り付けられている。
下枠カバー部材１５を下枠ベース部に取り付けることにより、外障子５０の下框５１の室内側よりから垂下させた垂下片５１ｅがスライドする外障子用スライド溝１３ａが形成され、その下に排水用の外障子用下枠排水凹部１４ａが形成される。
また、この下枠カバー部材１５にて外障子下框の垂下片５１ｅの室内側に取り付けたタイト材５１ｆの摺接壁を形成するとともに、内障子６０の下框６１の室外側よりから垂下させた垂下片６１ｅがスライドする内障子用スライド溝１３ｂの室外側部を形成し、その下に排水用の内障子用下枠排水凹部１４ｂが形成される。
なお、障子構造についての詳細は後で述べる。
このように下枠カバー部材１５が障子の戸車走行部より独立しているので、下枠カバー部材１５を引き違い障子の開閉に対して左右の開口部と中央部に分割して取り付けると、障子が一方に寄せて交互に下枠カバー部材を取り外すことができる。
この場合に中央部の下枠カバー部材は、障子召合部に対応した長さにするのがよい。
【００２０】
下枠カバー部材にて形成された外障子下框垂下片５１ｅと内障子下框垂下片６１ｅの間の下枠上面は、図２に示す外障子召合框５４と内障子召合框６４が干渉しない範囲にて最接近させたことにより、その下枠上面幅が最小になっている。また、この下枠カバー部材で形成した外障子下框垂下片と内障子下框垂下片の間の下枠上面にはホルダー部を設けて樹脂材等の断熱部材１５ａが配設されていて、この部分から熱伝導や結露の発生を防止している。
【００２１】
また、下枠１０の室内側よりの上面には、意匠性と断熱性を考慮して断熱室内部材１７が取り付けられ、下枠上面には全体として略フラットに形成されている。
下枠１０には下枠内部から室内（屋外）に雨水等を排水する排水穴１８及び逆止弁１８ａが設けられている。
【００２２】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱材からなる室内部材５１ｂ、５２ｂ、５３ｂが連結されたフラットサッシ構造となっている。
【００２３】
外障子下框構造を図３にて説明する。
外障子の下框５１の室外側よりから外障子下框垂下片５１ｅが垂下され、下枠上面に形成した外障子用スライド溝１３ａに嵌入するようになっている。
外障子下框垂下片５１ｅの室内側には、タイト材５１ｆが取り付けられ、下枠のスライド溝側壁（下枠凹部）との間をシールする。
また、外障子下框の底部と下枠上面との間にタイト材５１ｇを取り付けてもよい。
外障子下框底部には戸車５１ｃが取り付けられ、戸車のタイヤの外周中央部は凹部形状５１ｄになっていて、擬似レール１９ａと当接回転するようになっている。
【００２４】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱材からなる室内部材６１ｂ、６２ｂ、６３ｂ、６４ｂが連結されたクラッドサッシ構造となっている。
【００２５】
内障子の下框６１の室外側よりから内障子下框垂下片６１ｅが垂下され、下枠上面に形成した内障子用スライド溝１３ｂに嵌入ようになっている。
本発明においては、外障子下框の垂下片が室内側よりから垂下され、内障子がその逆に内障子下框の室外側よりから垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
【００２６】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００２７】
図４に示すように外障子と内障子の召合部に対応して、下枠に召合シール部材８０が設けられていて、この部分から雨水が室内側に浸入するのを防止している。
召合シール部材８０は基底ブロック部８１とその上にモヘア部８２ａ、８２ｂ、８２ｃを形成した構造になっている。
【００２８】
外障子下框垂下片と内障子下框垂下片の間に位置する下枠上面部に配設されるモヘア部８２ａ及びその取付基底部の幅が小さいので、この部分が障子の建て込み時に垂下片等に当たり、倒れやすいのを防止するために基底ブロック部８１の両サイド（障子スライド方向に沿って）に突部８３ａ、８３ｂを形成し、下枠カバー部材１５の断面に設けた凹部１５ｂに嵌合させた。
また、召合部には図２に示すように、外障子煙返し部５４ｃと内障子煙返し部６４ｃが障子を閉じた際に嵌合するようになっていて、外障子又は内障子の少なくともどちらか一方に取り付けた召合タイト材５４ｄにて召合框間をシールすると同時に、召合タイト材の下部が召合シール部材８０のモヘア部８２ａと当接するようになっている。
【００２９】
次に、下枠の排水構造及び排水経路について説明する。
図５に下枠を上から見た模式図を示す。
図６は、障子が閉じた際に外障子が位置する部分の下枠断面図及び排水経路を示す。
図７は、内障子が位置する部分の下枠断面図及び排水経路を示す。
図５に示すように、下枠の上面に形成した外障子スライド溝１３ａの直下に、このスライド溝より幅の広い外障子下枠排水凹部１４ａ及び内障子スライド溝１３ｂの直下に形成した内障子下枠排水凹部１４ｂを室外部と室内部に仕切るために召合シール部材８０が取り付けられている。
【００３０】
図５〜図７にて、Ａ、Ｂ、Ｃ、Ｄ、Ｅにて示した矢印は雨水又は結露水の流れを示し、Ａ１、Ａ２、Ａ３、Ｂ１、Ｂ２、Ｃ１、Ｄ１、Ｄ２、Ｄ３、Ｅ１及び１８は、それぞれ排水穴を代表的に表示したもので、設ける排水穴数は下枠の長さや障子戸の大きさにより適切に選定される
なお、同一排水経路となる例えば、Ａ１、Ａ２、Ａ３は、チドリ状に位置をずらして設けられる。
【００３１】
外障子が位置する部分の排水経路を図６に基づいて以下説明する。
外障子下框の室内側よりから垂下させた垂下片５１ｅの室内側に取り付けたタイト材が下枠排水凹部１４ａの側壁に当接してシールしているが、この垂下片の室外側にはスライド溝１３ａの隙間が設けられていることから、外障子下框の底部に流れ込んできた雨水は、この外障子スライド溝１３ａからその下の下枠排水凹部１４ａに流れ込む。
下枠排水凹部に流れ込んだ雨水は、下枠カバー部材１５及び下枠ベース部材に設けられた排水穴Ａ１、Ａ２、Ａ３を経由して屋外に排水される。
下枠カバー部材１５と下枠ベース部材１１との嵌着部には、カバー部材タイト材１５ｃが取り付けられ、この隙間から雨水等が漏れるのを防止している。
【００３２】
内障子スライド溝１３ｂは、図６の場合には室内側に位置することになるので、直接雨水が浸入してくることはない。
しかし、室内側に結露水が発生した場合や、仮に雨水が浸入してきた場合は、下枠ベース部材に設けた排水穴Ｂ１、Ｂ２を経由して下枠ホロー部１４ｃに一旦、流し込まれ、逆止弁１８ａが取り付けられた排水穴１８を介して屋外に排水される。
なお、障子戸ガラス室内面等に仮に結露水が生じ、下枠上面で断熱室内部材１７面上に流れ込んできた場合には、図６に示す排水結露ＣがＢの経路を介して屋外に排水される。
このように下枠にホロー部１４ｃを形成し、一旦流れ込むようにすると、室外と室内の気圧差や風により室内側に逆流する危険性を低く抑えることができる。
【００３３】
内障子が位置する部分の下枠の排水経路を図７に基づいて説明する。
内障子の下枠垂下片が内障子スライド溝１３ｂ内に嵌入し、下枠排水凹部側壁部でシールされているが、垂下片の室外側には所定の隙間が設けられているので雨水等は外障子下枠排水凹部のみならず、内障子下枠排水凹部にも流れ込んでくる。
この場合に、内障子下枠排水凹部も外気と連通し室外部に位置することになる。
従って、逆止弁を介しなくてもそのまま、屋外に排水すればよいので、図７に示すように下枠ベース部材に例えば、Ｄ１、Ｄ２、Ｄ３の位置に排水穴を設けて屋外に排水する。
また、外障子スライド溝１３ａから流れ込んでくる雨水も、下枠カバー部材に排水穴Ｅ１を設けて、Ｄの排水経路に合流してよい。
【００３４】
図８及び図９には本発明に係る下枠構造をクラッドサッシ構造等の断熱サッシ以外に適用した例である。
下枠１１０の下枠ベース部１１１は、アルミ押出材等の金属材料にて一体的に押出成形されている。
下枠ベース部１１１に下枠カバー部材１１５を取り付けて、外障子用スライド溝１１３ａ、内障子用スライド溝１１３ｂをそれぞれ形成し、その直下に外障子用下枠凹部１１４ａ、内障子用下枠凹部１１４ｂが形成されている。
下枠カバー部材１１５と下枠ベース部材の嵌着部には、カバー部材タイト材１１５ｃが取り付けられている。
また、障子戸車走行用の擬似レール１１９ａ、１１９ｂが下枠上面に形成されている。
【００３５】
このようなサッシ構造の場合には、下枠１１０の対応してアルミ押出材等で形成した上枠１２０、及び右縦枠１３０、左縦枠１４０にて略方形の開口部を形成し、その開口部内に下框１５１、上框１５２、戸当り框１５３、召合框１５４からなる外障子１５０、及び下框１６１、上框１６２、戸当り框１６３、召合框１６４からなる内障子１６０が取り付けられている。
【００３６】
図８及び図９に示したようなサッシ構造においても、排水経路は室外部と室内部に分けることができる。
図１０が外障子部で、図１１が内障子部の下枠断面図を示す。
排水経路Ａ、Ｂ、Ｄ、Ｅは、断熱サッシと同様なので説明を省略する。
【００３７】
【発明の効果】
本発明においては、下枠の排水凹部に障子召合部に対応させて下枠排水凹部止水部材を取り付けて、この下枠排水凹部を室外部と室内部に仕切ったことにより、逆止弁付き排水弁を介して屋外に排水する量が少なくなり、排水弁の取付数を減らすことができる。
また、室外部と室内部とに分けて、それぞれ独立して排水路を形成したので安定した排水が実現できる。
【００３８】
下枠にホロー部（中空部）を形成すると、下枠の強度が確保しやすく、障子の走行安定性に優れる。
【００３９】
下枠を下枠ベース部と下枠カバー部材に分割した場合に、下枠嵌着部側壁と下枠カバー部材の間にカバー部材用タイト材を設けると、下枠凹部をつたわって室内側に雨水等が浸入してくるのを防止できる。
【図面の簡単な説明】
【図１】本発明に係るサッシ構造の縦断面図を示す。
【図２】本発明に係るサッシ構造の横断面図を示す。
【図３】下枠付近の拡大図を示す。
【図４】召合シール部の構造例を示す。
【図５】下枠の上面図（模式図）を示す。
【図６】外障子部下枠断面図（排水経路）を示す。
【図７】内障子部下枠断面図（排水経路）を示す。
【図８】本発明に係るサッシ構造の他の例の縦断面図を示す。
【図９】本発明に係るサッシ構造の他の例の横断面図を示す。
【図１０】外障子部下枠断面図（排水経路）を示す。
【図１１】内障子部下枠断面図（排水経路）を示す。
【符号の説明】
１０    下枠
１１    室外側下枠ベース部材
１２    室内側下枠ベース部材
１３ａ  外障子用スライド溝
１３ｂ  内障子用スライド溝
１４ａ  外障子用下枠排水凹部
１４ｂ  内障子用下枠排水凹部
１４ｃ  下枠ホロー部（中空部）
１５    下枠カバー部材
１５ａ  断熱部材
１５ｂ  下枠カバー部材の凹部
１５ｃ  カバー部材用タイト材
１６    断熱部材
１７    断熱室内部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
７０    網戸
８０    召合シール部材
８１    召合基底ブロック部
８２ａ、８２ｂ、８２ｃ  モヘア部
８３ａ、８３ｂ  突部
【図１】
2004238962.tif 000003
【図２】
2004238962.tif 000004
【図３】
2004238962.tif 000005
【図４】
2004238962.tif 000006
【図５】
2004238962.tif 000007
【図６】
2004238962.tif 000008
【図７】
2004238962.tif 000009
【図８】
2004238962.tif 000010
【図９】
2004238962.tif 000011
【図１０】
2004238962.tif 000012
【図１１】
2004238962.tif 000013